(57)【特許請求の範囲】
【請求項１】
各種プログラムと該プログラムを実行するＣＰＵを備え、複数の設定項目を表示部に表示し、該各設定項目に該当する設定定数を入力する入出力手段を有する設定器を、各種プログラムと該プログラムを実行するＣＰＵを備えた通報装置にその設置又はメンテナンス時に接続し、該設定器で設定した設定定数を前記通報装置に送信し、前記設定項目に該当する設定定数を設定する通報装置の設定方法において、
前記通報装置に表示指示部とデータ読み込み部を有する設定項目入力プログラムを、前記設定器に表示制御部と入力検出部を有する動作プログラムを設け、
前記通報装置の設定項目入力プログラムは当該通報装置の設定項目を設定項目表示情報として前記表示指示部を介して前記設定器に送信してその前記表示部に表示し、該設定器で表示部に表示された設定項目に該当する設定定数を入力設定し、該設定定数を前記入力検出部を介して前記通報装置に送信し、前記設定項目入力プログラムのデータ読み込み部で該設定定数を読み込み、所定の設定項目に該当する設定定数を設定することを特徴とする通報装置の設定方法。
【発明の詳細な説明】
【０００１】
【発明の属する技術分野】
本発明は通報装置の設置時又はメンテナンス時に該通報装置に設定器を接続し複数の設定項目に該当する設定定数を設定する通報装置の設定方法に関するもので、設定器に汎用性を持たせることができる通報装置の設定方法に関するものである。
【０００２】
【従来の技術】
図２は一般的な通報装置と設定器のブロック構成例を示す図である。図示するように、ビルや家庭で使用される通報装置１はＣＰＵ１−１、通信インタフェース１−２、設定器インタフェース１−３、メモリ１−４、センサインタフェース１−５及び、各種センサ２（防犯センサ２−１、ガス漏れ警報機２−２、火災報知器２−３、・・・）を具備し、各種センサ２で異常を検出し、通信インタフェース１−２、電話回線を介してセンタ（図では省略）へ通報する装置である。
【０００３】
ここで通報装置１は電話回線を使用するため、設置時にセンタ等の連絡先の電話番号を設定する必要がある。また、設定場所によってセンサの種類、数などの構成が異なるため、設置時に通報装置１毎にセンサの種類、数等を設定して使用している。その他にも諸々の設定が必要となる。
【０００４】
通常、これらの設定定数はメモリ１−４の設定部ｂ（ＲＡＭ）に格納されている。設定器３はこれらの設定を行う装置でＣＰＵ３−１、インタフェイス３−２、メモリ３−３、表示部３−４、キ−入力部３−５を具備し、キ−入力部３−５より入力したデ−タ（設定定数）をコネクタ１−６を通して通報装置１の設定部ｂへ設定することが出来る。
【０００５】
図３は従来の通報装置の設定方式のプログラム構成例を示す図である。通報装置１のメモリ１−４のプログラム部ａには動作プログラム１−４−１が格納されている。動作プログラム１−４−１には各種センサ２からの信号を処理するセンサ処理プログラム１−４−２、電話回線へデ−タを送出する通信処理プログラム１−４−３の他に、前記設定時に設定器３から設定項目毎に設定定数を読み込み、設定部ｂ（図２参照）へ設定する設定定数読み込みプログラム１−４−４´等が用意されている。
【０００６】
設定器３のメモリ３−３のプログラム部ｃには設定項目に従って設定定数を入力する設定項目入力プログラム３−３−１´が設けられている。オペレ−タは表示処理部３−３−２´により表示部３−４に表示される設定項目に従って、キ−入力部３−５を操作して入力するとデ−タは入力処理部３−３−３´によりデ−タ部ｄへ設定され、設定定数書き込みプログラム３−３−４によって通報装置１へ送信される。通報装置１では設定定数読み込みプログラム１−４−４´が上記デ−タを処理し、メモリ１−４の設定部ｂへ格納し設定作業は終了する。
【０００７】
上述したように設定器３は通報装置１を設置時に設定定数を入力するためのもので常時はコネクタ１−６で切り離されている。また、設定項目は通報装置１の機種により異なり、設定器３の設定項目入力プログラム３−３−１´で対応している。従って、設定器３は通報装置１の機種毎に対応して準備されている。
【０００８】
【発明が解決しようとする課題】
しかしながら、上述したように設定器３は通報装置１の初期の立ち上げ及びメンテナンスの際の項目設定に使用するもので、通報装置毎に必要なものではなく、当然生産数量も少ないため価格も高くなる。また、通報装置１の機種に対応して機種毎に設定器３を用意しなければならず、また、通報装置１が同機種であってもバ−ジョンアップを行なった場合、それに対応してその度に設定器３を用意しなければならないため、汎用性が無く製造販売業者およびユ−ザ双方にとってコストアップとなると云う問題があった。
【０００９】
本発明は上述の点に鑑みてなされたもので、上記問題点を除去し、初期設定が必要な種々の通報装置に対応できる通報装置の設定方法を提供することを目的とする。
【００１０】
【課題を解決するための手段】
上記課題を解決するため本発明は、各種プログラムと該プログラムを実行するＣＰＵを備え、複数の設定項目を表示部に表示し、該各設定項目に該当する設定定数を入力する入出力手段を有する設定器を、各種プログラムと該プログラムを実行するＣＰＵを備えた通報装置にその設置又はメンテナンス時に接続し、該設定器で設定した設定定数を前記通報装置に送信し、前記設定項目に該当する設定定数を設定する通報装置の設定方法において、通報装置に表示指示部とデータ読み込み部を有する設定項目入力プログラムを、設定器に表示制御部と入力検出部を有する動作プログラムを設け、通報装置の設定項目入力プログラムは当該通報装置の設定項目を設定項目表示情報として前記表示指示部を介して設定器に送信してその表示部に表示し、該設定器で表示部に表示された設定項目に該当する設定定数を入力設定し、該設定定数を前記入力検出部を介して通報装置に送信し、設定項目入力プログラムのデータ読み込み部で該設定定数を読み込み、所定の設定項目に該当する設定定数を設定することを特徴とする。
【００１１】
【発明の実施の形態】
以下、本発明の一実施の形態を図面に基づいて詳細に説明する。図１は本発明の通報装置の設定方式のプログラム構成例を示す図である。図示するように、本発明の通報装置の設定方式は設定項目入力プログラム１−４−４を通報装置本体に組み込み、設定器３は入出力の操作のみを行うことを特徴とする。同図で図３と同じ符号は従来と同じなので説明は省略する。
【００１２】
設定器３の動作プログラム３−３−１は通報装置１から受信したデ−タを表示部３−４へ表示する表示制御部３−３−２と、キ−入力部３−５から入力されたデ−タを通報装置１へ出力する入力検出部３−３−３で構成される。
【００１３】
通報装置１の設定項目入力プログラム１−４−４には表示指示部１−４−５及びデ−タ読み込み部１−４−６が設けられ、その機種に固有の設定項目を項目表示情報として表示指示部１−４−５を介して設定器３へ順次送信する。設定器３ではこの設定項目を受けて表示部３−４に表示を行う。
【００１４】
表示された各設定項目に対し操作員が設定器３のキ−入力部３−５のキ−を操作して該当する設定定数を入力すると、デ−タ（設定定数）は入力検出部３−３−３を介して通報装置１へ送信される。通報装置１の設定項目入力プログラム１−４−４ではデ−タ読み込み部１−４−６で前記デ−タを読み込みが正しければ所定の項目（設定部ｂ）に設定する。同様にして、設定項目入力プログラム１−４−４は上記の設定動作の他に設定定数の修正等を行うこともできる。
【００１５】
上述したように、本実施例によれば設定項目入力プログラム１−４−４を通報装置１の動作プログラム１−４−１の中に置き、設定器３側の動作プログラム３−３−１には表示部３−４の制御、キ−入力部３−５のキ−入力の検出及び、通報装置１との通信機能のみとしたことにより、通報装置１の機種やバ−ジョンが異なっても同じ設定器３を用いて設定項目の設定を行なうことが出来る。
【００１６】
なお、上記説明は初期設定の必要な通報装置１に関して説明したが、本発明はその他の初期設定の必要な一般的な装置の設定方法に利用できる。
【００１７】
【発明の効果】
以上説明したように本発明によれば、通報装置に表示指示部とデータ読み込み部を有する設定項目入力プログラムを、設定器に表示制御部と入力検出部を有する動作プログラムを設け、通報装置の設定項目入力プログラムは当該通報装置の設定項目を設定項目表示情報として表示指示部を介して設定器に送信してその表示部に表示し、該設定器で表示部に表示された設定項目に該当する設定定数を入力設定し、該設定定数を入力検出部を介して通報装置に送信し、設定項目入力プログラムのデータ読み込み部で該設定定数を読み込み、所定の設定項目に該当する設定定数を設定するので、設定器は機種固有の情報を持つ必要がなく、設定器はどのような機種の通報装置に接続しても設定項目に該当する設定定数を設定できるという効果を有する。
【図面の簡単な説明】
【図１】本発明の装置の設定方法のプログラム構成例を示す図である。
【図２】一般的な通報装置と設定器のブロック構成例を示す図である。
【図３】従来の通報装置の設定方式のプログラム構成例を示す図である。
【符号の説明】
１          通報装置
１−１      ＣＰＵ
１−２      通信インタフェース
１−３      設定器インタフェース
１−４      メモリ
１−４−１  動作プログラム
１−４−２  センサ処理プログラム
１−４−３  通信処理プログラム
１−４−４  設定項目入力プログラム
１−４−５  表示指示部
１−４−６  デ−タ読み込み部
１−５      センサインタフェース
１−６      コネクタ
２          各種センサ
２−１      防犯センサ
２−２      ガス漏れ警報機
２−３      火災報知器
３          設定器
３−１      ＣＰＵ
３−２      インタフェース
３−３      メモリ
３−３−１  動作プログラム
３−３−２  表示制御部
３−３−３  入力検出部
３−４      表示部
３−５      キ−入力部
【図１】
0003694081.tif 000002
【図２】
0003694081.tif 000003
【図３】
0003694081.tif 000004